(57)【要約】【課題】小さい回路規模でＳＥＣＡＭ方式の映像信号を良好な画質で色再現できる映像信号処理装置を提供する。【解決手段】本発明に係る映像信号処理回路は、ＳＥＣＡＭ回路３内にノイズ／カラー制御回路３３ａを設け、ＲＧＢ回路５内にカラー制御回路４３ａを設ける。ＡＧＣ電圧発生回路１３は、ＳＥＣＡＭ方式のＲＦ信号が入力されると、電界強度の強弱により変化する電圧を出力する。ノイズ／カラー制御回路３３ａは、この電圧を電流変換し、ＲＦ信号の電界強度の強弱により変化する電流信号を出力する。カラー制御回路４３ａは、予め設定されたカラーレベルに応じた制御電流をノイズ／カラー制御回路３３ａからの電流信号により変化させ、後段のカラーユニカラー回路４２の利得を制御する。これにより、ＳＥＣＡＭ方式の映像信号に対応するＲＦ信号の電界強度が弱い場合に、色を薄くしてカラーノイズの少ない色再現を実現できる。【選択図】　図１
2004040210.tif 000002
【特許請求の範囲】
【請求項１】
ＳＥＣＡＭ方式を含む複数のカラー映像方式の映像信号を処理する映像信号処理回路において、
映像信号の高周波変調信号であるＲＦ信号の電界強度を検出する電界強度検出部と、
前記検出された電界強度に基づいて、ＳＥＣＡＭ方式の映像信号に対応する第１色再生信号を生成する第１色再生信号生成部と、
前記検出された電界強度に基づいて、ＳＥＣＡＭ方式以外のカラー映像方式の映像信号に対応する第２色再生信号を生成する少なくとも一つの第２色再生信号生成部と、
前記検出された電界強度に基づいて、前記第１色再生信号に対応する色差信号の振幅調整用の調整信号を生成する振幅調整信号生成部と、
前記調整信号に基づいて前記第１色再生信号に対応する色差信号の振幅を調整する振幅調整部と、を備えることを特徴とする映像信号処理回路。
【請求項２】
前記電界強度検出部は、前記調整信号に相関するフィードバック信号に基づいて、ＲＦ信号の電界強度を検出することを特徴とする請求項１に記載の映像信号処理回路。
【請求項３】
ＲＦ信号を中間周波信号に変換する映像中間周波信号処理部と、
前記中間周波信号の利得制御信号と、電圧レベルが一定の基準信号と、を生成するＡＧＣ電圧発生部と、を備え、
前記電界強度検出部は、前記フィードバック信号を電流源として利用して、前記利得制御信号と前記基準信号との差電圧に応じた信号を出力する差動増幅部を有することを特徴とする請求項２に記載の映像信号処理回路。
【請求項４】
選択された色の濃さに応じたカラー制御信号を生成するカラー制御信号生成部を備え、
前記振幅調整信号生成部は、前記差動増幅部の出力信号と前記カラー制御信号とに基づいて前記調整信号を生成することを特徴とする請求項３に記載の映像信号処理回路。
【請求項５】
前記振幅調整部は、ＳＥＣＡＭ方式の映像信号のみについて前記検出された電界強度に基づいて色差信号の振幅調整を行い、その他のカラー映像方式の映像信号については前記検出された電界強度を考慮に入れずに色差信号の振幅調整を行うことを特徴とする請求項１及至４のいずれかに記載の映像信号処理回路。
【請求項６】
前記色差振幅調整部は、外部ビデオ入力状態では、前記検出された電界強度を考慮に入れずに色差信号の振幅調整を行うことを特徴とする請求項１及至５のいずれかに記載の映像信号処理回路。
【発明の詳細な説明】
【０００１】
【発明の属する技術分野】
本発明は、ＳＥＣＡＭ方式を含む複数のカラー映像方式の映像信号を処理する映像信号処理回路に関し、特に、ＳＥＣＡＭ方式の映像信号の映像画質向上の技術に関する。
【０００２】
【従来の技術】
国によって映像信号の方式（以下、カラー映像方式）は異なっており、特に欧州や中近東では、隣接する国同士が異なるカラー映像方式を採用していることも多い。このため、複数のカラー映像方式に対応可能なマルチシステムのテレビジョン受像機が普及している。
【０００３】
この種のテレビジョン受像機では、各カラー映像方式の色信号に対応する映像信号処理回路が必要であるが、各カラー映像方式に対応した映像信号処理回路を別個に設けると、コストが高くなるだけでなく、回路規模も増大する。このため、回路の共通化を図った映像信号処理回路が開発されている。
【０００４】
特に、最近では、集積回路技術を利用して、この種の映像信号処理回路をワンチップにまとめたものも提案されている。
【０００５】
【発明が解決しようとする課題】
図８はワンチップにまとめられる従来のマルチカラー映像方式用映像信号処理回路ＩＣのブロック図である。図８のＩＣは、大きく分けると、不図示のチューナからの高周波信号をビデオ帯域にダウンコンバートするＰＩＦ回路１（映像中間周波信号処理回路）と、ＰＡＬ／ＮＴＳＣ方式の色再生を行うＰＡＬ／ＮＴＳＣ回路２と、ＳＥＣＡＭ方式の色再生を行うＳＥＣＡＭ回路３と、カラー映像方式に応じた色差信号を生成する１Ｈ−ＤＬ回路４と、ＲＧＢ信号を生成するＲＧＢ回路５とを備えている。
【０００６】
ＰＩＦ回路１は、より詳しくは、映像中間周波信号をＡＭ復調してビデオ帯域のコンポジット信号を生成する映像検波回路１１と、映像検波回路１１内の不図示の掛け算検波回路に同期キャリア信号を供給するキャリア再生回路１２と、ＰＩＦ回路１の入力電界に対する振幅変化を一定にするための電圧を生成するＡＧＣ電圧発生回路１３と、ＡＧＣアンプ１４（ＡＧＣ　ＡＭＰ）とを有する。
【０００７】
ＰＡＬ／ＮＴＳＣ回路２は、より詳しくは、映像検波回路１１から入力された色信号振幅変化に対してバースト信号を基準として自動調整された色信号を出力するＡＣＣクロマ回路２１（ＡＣＣ　ＣＨＲＯＭＡ）と、カラー映像方式ごとに異なる周波数で発振するＶＣＸＯアンプ２２（ＶＣＸＯ　ＡＭＰ）と、色信号に含まれるバースト信号と発振器からなる色副搬送波を９０°位相検波で閉ループを構成し、発振器の発振周波数を入力バースト周波数に同期させるＡＰＣ検波回路２３（ＡＰＣ　ＤＥＴ）と、ＲＹ／ＢＹ回路２４（ＲＹ／ＢＹ　ＤＥＭＯ）と、キラー検波回路２５とを有する。
【０００８】
ＳＥＣＡＭ回路３は、ベル中心周波数（４．２８６ＭＨｚ）でベルＱ＝約１６の帯域に調整するベル検波調整回路３１（Ｂｅｌｌ　ＤＥＴ　Ａｄｊ）と、赤青の各基準信号を軸とする色信号周波数偏移に対するＰＬＬ方式で復調するＶＣＯ検波調整回路３２（ＶＣＯ−ＤＥＴ−Ａｄｊ）と、Ｓキラー検波回路３４（Ｓ−ＫＩＬＬＥＲ　ＤＥＴ）と、色差信号に対してディエンファシスをかけて適正な色差信号を生成するＲＹ／ＢＹ−ＤｅＥｍｐ回路３５と、ＰＡＬ／ＮＴＳＣ／ＳＥＣＡＭ信号を切り替えて色差出力するＰ／Ｎ／Ｓスイッチ３６とを有する。
【０００９】
ＲＧＢ回路５は、外部色差信号と内部カラー映像方式別の色差信号を切り替えるＥＸＴ／ＩＮスイッチ４１と、色利得を制御するカラーユニカラー回路４２（Ｃｏｌｏｒ　Ｕｎｉ−Ｃｏｌｏｒ）と、カラーユニカラー回路４２の可変増幅器を制御するカラー制御回路４３（Ｃｏｌｏｒ　ＣＯＮＴ）と、Ｙ輝度信号を可変増幅するＹ輝度制御回路４４（Ｙ−ＣＯＮＴ　ＢＲＩＧＨＴ）と、Ｙ輝度信号とＲＧＢ色差信号を合成して原色ＲＧＢ信号に変換するＹ／ＲＧＢマトリックス回路４５（Ｙ／ＲＧＢ　ＭＡＴＲＩＸ）と、ビデオ信号とＲＧＢ信号の切替を行うＥＸＴ／ＩＮスイッチ４６と、ホワイトバランス調整を行うＲＧＢアンプ／ＲＧＢカット回路４７とを有する。
【００１０】
セカム方式の映像信号の復調は、ＰＡＬ／ＮＴＳＣ方式の映像信号の復調と異なり、ＰＬＬ方式の復調であり、赤色基準周波数と青色基準周波数に対してそれぞれ、Δ±数百ｋＨｚの周波数偏移でＰＬＬループを構成し、周波数偏移に応じた色振幅（色の濃さ）で色再現される。このため、ＲＦ信号の電界強度の強弱では色が薄くならず、弱電界では初期設定されたカラー状態で画面にカラーノイズの目立った絵観で色再現される。
【００１１】
また、ＰＡＬ／ＮＴＳＣの信号は、ＰＡＬ／ＮＴＳＣ回路２内のＡＣＣクロマ回路２１のＡＣＣ検波器により、ＲＦ信号の電界強度の強弱に応じてノイズを含んだＡＣＣ検出を行うため、色差信号レベルは減少されて、画面にカラーノイズが目立たない色再現が可能になる。
【００１２】
このように、図８の回路では、ＳＥＣＡＭ方式を選択した場合とそれ以外の方式を選択した場合で色差レベルに違いが生じ、カラーノイズによる絵観の差や色の濃さの差が色再現されるという問題があった。
【００１３】
図９の回路は、図８の回路の問題点を解決するために、ＳＥＣＡＭ回路３内に単体で電界の強弱検出を行うノイズ検出器（Ｎｏｉｓｅ　ＤＥＴ）３７とカラーノイズの制御を行うノイズ／カラー制御回路（Ｎｏｉｓｅ／Ｃｏｌｏｒ−Ｃｏｎｔ）３３とを設け、ＳＥＣＡＭ回路３単体でノイズ検出を行い、ＲＦ信号の電界強度に応じてカラー制御を行うことで、カラーノイズの少ない絵観のよい色再現を実現するものである。
【００１４】
図９の回路において、ＰＡＬ／ＮＴＳＣ方式の映像信号については、ＰＡＬ／ＮＴＳＣ回路２内のＡＣＣクロマ回路２１にて、ＲＦ信号の電界強度の強弱でカラーノイズを抑圧して絵観のよい色再現を行う。
【００１５】
このように、ＳＥＣＡＭ回路３内にノイズ検出器３７とノイズ／カラー制御回路３３を設けることで、カラー映像方式が異なっても、カラーノイズによる絵観の差や色の濃さの差は起きなくなる。
【００１６】
しかしながら、図９のＳＥＣＡＭ回路３内でノイズ検出を行うようにすると、ＳＥＣＡＭ回路３の回路規模が大きくなってしまい、ワンチップ化が困難になる。特に、最近のマルチカラー映像方式用映像信号処理回路ＩＣは、種々の機能を盛り込む傾向にあり、個々の回路をできるだけ縮小させる必要があることから、ＳＥＣＡＭ回路３内にノイズ検出機能を設けることはスペース的に困難であり、消費電力も増えてしまう。
【００１７】
本発明は、このような点に鑑みてなされたものであり、その目的は、小さい回路規模でＳＥＣＡＭ方式の映像信号を良好な画質で色再現できる映像信号処理装置を提供することにある。
【００１８】
【課題を解決するための手段】
上述した課題を解決するために、本発明は、ＳＥＣＡＭ方式を含む複数のカラー映像方式の映像信号を処理する映像信号処理回路において、映像信号の高周波変調信号であるＲＦ信号の電界強度を検出する電界強度検出部と、前記検出された電界強度に基づいて、ＳＥＣＡＭ方式の映像信号に対応する第１色再生信号を生成する第１色再生信号生成部と、前記検出された電界強度に基づいて、ＳＥＣＡＭ方式以外のカラー映像方式の映像信号に対応する第２色再生信号を生成する少なくとも一つの第２色再生信号生成部と、前記検出された電界強度に基づいて、前記第１色再生信号に対応する色差信号の振幅調整用の調整信号を生成する振幅調整信号生成部と、前記調整信号に基づいて前記第１色再生信号に対応する色差信号の振幅を調整する振幅調整部と、を備える。
【００１９】
本発明では、ＳＥＣＡＭ方式の映像信号を処理する場合に、複数のカラー映像方式で共用される電界強度検出部で検出されたＲＦ信号の電界強度に基づいて、ＳＥＣＡＭ方式用の色差信号の振幅調整用の調整信号を生成するため、カラーノイズがなくなる。
【００２０】
【発明の実施の形態】
以下、本発明に係る映像信号処理回路について、図面を参照しながら具体的に説明する。
【００２１】
図１は本発明に係る映像信号処理回路の一実施形態の概略構成を示すブロック図である。図１では、図８と共通する構成部分には同一符号を付しており、以下では相違点を中心に説明する。
【００２２】
図１の映像信号処理回路は、ＳＥＣＡＭ回路３内に設けられるノイズ／カラー制御回路３３ａと、ＲＧＢ回路５内に設けられるカラー制御回路４３ａとに特徴があり、その他の構成は図８と同様である。
【００２３】
ノイズ／カラー制御回路３３ａは、ＡＧＣ電圧発生回路１３の出力電圧に基づいて、ＲＦ信号の電界強度に応じた信号を生成する。カラー制御回路４３ａは、ノイズ／カラー制御回路３３ａの出力信号に基づいて、ＳＥＣＡＭ方式の色差信号の振幅調整を行うための調整信号を生成する。この調整信号に基づいて、カラーユニカラー回路４２はＳＥＣＡＭ方式の色差信号の振幅を調整する。
【００２４】
より詳細に説明すると、ＡＧＣ電圧発生回路１３は、ＳＥＣＡＭ方式のＲＦ信号が入力されると、電界強度の強弱により変化する電圧を出力する。ノイズ／カラー制御回路３３ａは、この電圧を電流変換し、ＲＦ信号の電界強度の強弱により変化する電流信号を出力する。カラー制御回路４３ａは、予め設定されたカラーレベルに応じた制御電流をノイズ／カラー制御回路３３ａからの電流信号により変化させ、後段のカラーユニカラー回路４２の利得を制御する。これにより、ＳＥＣＡＭ方式の映像信号に対応するＲＦ信号の電界強度が弱い場合に、色を薄くしてカラーノイズの少ない色再現を実現できる。
【００２５】
一方、ＰＡＬ／ＮＴＳＣ信号については、従来と同様に、ＰＡＬ／ＮＴＳＣ回路２内のＡＣＣクロマ回路２１のＡＣＣ検波器により、ＲＦ信号の電界強度の強弱に応じて色差信号レベルを減少させ、画面にカラーノイズの目立たない色再現を行う。
【００２６】
図１の回路は、図９に示したＳＥＣＡＭ単体でノイズ検出を行う回路と比べて、小規模の回路で構成できるため、集積化が容易になる。
【００２７】
図２は図１のノイズ／カラー制御回路３３ａとカラー制御回路４３ａの詳細構成の一例を示す回路図である。図２に示すように、ノイズ／カラー制御回路３３ａは、トランジスタＱ１，Ｑ２及び抵抗Ｒ１，Ｒ２を有する差動増幅器と、トランジスタＱ３，Ｑ４，Ｑ５及び抵抗Ｒ３，Ｒ４，Ｒ５を有するカレントミラー回路と、ＳＥＣＡＭ方式の映像信号が入力されたときのみオフするトランジスタＭ１と、外部ビデオ信号が入力されるとオンするトランジスタＭ２とを有する。
【００２８】
カラー制御回路４３ａは、トランジスタＱ６，Ｑ７及び抵抗Ｒ６，Ｒ７を有するカレントミラー回路と、トランジスタＱ８〜Ｑ１２と、抵抗Ｒ８〜Ｒ１１と、基準電圧源Ｖ１，Ｖ２，Ｖｃｃとを有する。
【００２９】
以下、図２に基づいてノイズ／カラー制御回路３３ａとカラー制御回路４３ａの動作を説明する。ＡＧＣ電圧発生回路１３は、常に一定の基準電圧ＶＩＦＡＧＣ１と、入力されたＲＦ信号の電界強度の強弱に応じて電圧レベルが変化する制御電圧ＶＩＦＡＧＣ２とを出力し、これら電圧ＶＩＦＡＧＣ１，ＶＩＦＡＧＣ２は、ノイズ／カラー制御回路３３ａ内の差動増幅器に供給される。
【００３０】
図３はＲＦ信号の電界強度に対するＡＧＣ電圧変化を示す図であり、ＲＦ信号の電界強度が強くなるほど、制御電圧ＶＩＦＡＧＣ２は下がる。例えば、入力されたＲＦ信号の電界が強い場合には、制御電圧ＶＩＦＡＧＣ２が基準電圧ＶＩＦＡＧＣ１以下になり、ノイズ／カラー制御回路３３ａの差動増幅器内のトランジスタＱ１はオン方向に動作し、カレントミラー回路内の抵抗Ｒ４に電流が流れる。この結果、トランジスタＱ４のエミッタ電圧が上昇し、トランジスタＱ４はオフ方向に動作し、トランジスタＱ３，Ｑ５もオフ方向に動作する。トランジスタＱ４がオフ方向に動作すると、カラー制御回路４３ａから流れる電流が少なくなる。
【００３１】
図４はＲＦ信号の電界強度に対する色差振幅を示す図である。図４の期間ｔ１に示すように、ＲＦ信号の電界強度が強い場合には、カラー制御回路４３ａは、色差振幅を絞らないような制御を行うため、Ｓ／Ｎの良好なＢ−Ｙ色差振幅の色差信号を出力する。
【００３２】
一方、ＲＦ信号の電界が中程度の場合、すなわち、ＡＧＣ電圧発生回路１３からの制御電圧ＶＩＦＡＧＣ２が基準電圧ＶＩＦＡＧＣ１に近づくか、あるいは上回ると、ノイズ／カラー制御回路３３ａの差動増幅器内のトランジスタＱ２がオン方向に動作し、カレントミラー回路内のトランジスタＱ３〜Ｑ５もオン方向に動作し、トランジスタＱ３〜Ｑ５に制御電流が流れ始める。これにより、図４の期間ｔ２に示すように、カラーユニカラー回路４２は、Ｓ／Ｎが少し悪くて、振幅も少し低下したＢ−Ｙ色差振幅の色差信号を出力する。
【００３３】
一方、ＲＦ信号の電界が弱い場合、すなわち、ＡＧＣ電圧発生回路１３からの制御電圧ＶＩＦＡＧＣ２が基準電圧ＶＩＦＡＧＣ１よりも高い場合には、ノイズ／カラー制御回路３３ａの差動増幅器内のトランジスタＱ２が最大限にオンし、カレントミラー回路内のトランジスタＱ３〜Ｑ５に流れる制御電流も最大になる。このため、図４の期間ｔ３に示すように、色差振幅は大きく絞られ、Ｓ／Ｎが悪くて振幅の低下したＢ−Ｙ色差振幅で色再現を行う。
【００３４】
このように、ＲＦ信号の電界強度の強弱により、ＡＧＣ電圧発生回路１３から出力される制御電圧ＶＩＦＡＧＣ２が変化し、この制御電圧ＶＩＦＡＧＣ２の大小により、ノイズ／カラー制御回路３３ａを流れる制御電流が変化し、この制御電流の大小により、カラー制御回路４３ａは色差信号の色差振幅用の調整信号を出力する。
【００３５】
カラー制御回路４３ａのトランジスタＱ８，Ｑ１０のエミッタには、バス制御回路５１からのバスカラー制御電流が流れる。このバスカラー制御電流は、予め設定されたカラーレベルに応じた一定電流である。例えば、バス制御回路５１でカラーレベルを１／３に設定した場合の制御電圧ＶＩＦＡＧＣ２に対する色差振幅の変化は図５のような波形になり、カラーレベルを１／２に設定した場合の制御電圧ＶＩＦＡＧＣ２に対する色差振幅の変化は図６のような波形になり、カラーレベルを最大に設定した場合の制御電圧ＶＩＦＡＧＣ２に設定した場合の制御電圧ＶＩＦＡＧＣ２に対する色差振幅の変化は図７のような波形になる。
【００３６】
例えば、バス制御回路５１からの制御電流によりカラー制御最大に設定した場合には、カラー制御回路４３ａ内のトランジスタＱ１０よりもトランジスタＱ８に多くの電流が流れ、トランジスタＱ１０のエミッタ電位が高くなり、後段のカラーユニカラー回路４２には最大の電流が流れ、電界強度が強い状態では図７の期間ｔ１に示すように色差信号レベルが大きくなる。
【００３７】
電界強度が弱くなると、トランジスタＱ８の上流側に接続されたトランジスタＱ６，Ｑ７を含むカレントミラー回路からノイズ／カラー制御回路３３ａ内の差動増幅器に流れる電流と、基準電圧ＶＩＦＡＧＣ１と制御電圧ＶＩＦＡＧＣ２との電位差とに応じて、カレントミラー回路内のトランジスタＱ４，Ｑ５のコレクタからトランジスタＱ１０のエミッタに流れる電流が増えるように動作する。その結果、バイアス回路を構成するトランジスタＱ８，Ｑ１０のエミッタ間の電位差が少なくなり、カラーユニカラー回路４２では色を絞る方向で動作する。その結果、図７の期間ｔ２に示すように色差振幅は減少する。
【００３８】
一方、バス制御回路５１からの制御電流により、カラー制御回路４３ａ内のトランジスタＱ８，Ｑ１０に同程度の電流を流すと、トランジスタＱ８，Ｑ１０のエミッタ電位が等しくなり、カラーユニカラー回路４２には中程度の電流が流れ、電界強度が強い状態では図６の期間ｔ１に示すように色差信号レベルは１／２になる。
【００３９】
電界強度が弱くなると、ノイズ／カラー制御回路３３ａはＲＦ信号の電界強度による基準電圧ＶＩＦＡＧＣ１と制御電圧ＶＩＦＡＧＣ２との電位差とに応じて動作し、ノイズ／カラー制御回路３３ａのトランジスタＱ４，Ｑ５のコレクタからバイアス回路のトランジスタＱ１０のエミッタに流れる電流が増えるように動作し、その結果、バイアス回路のトランジスタＱ１０のエミッタ電位が下がり、カラーユニカラー回路４２に対して色を絞る方向で動作する。これにより、図６の期間ｔ２に示すように色差振幅は減少する。
【００４０】
一方、バス制御回路５１からの制御電流により、カラー制御１／３に設定すると、カラー制御回路４３ａ内のトランジスタＱ８のエミッタ電位が逆に上がり、カラーユニカラー回路４２にはカラー１／３の電流が供給され、電界強度が強い状態では図５の期間ｔ１に示すように色差信号レベルが下がって薄くなる。電界強度が弱くなると、ノイズ／カラー制御回路３３ａはＲＦ信号の電界強度による基準電圧ＶＩＦＡＧＣ１と制御電圧ＶＩＦＡＧＣ２との電位差とに応じて動作し、ノイズ／カラー制御回路３３ａ内のトランジスタＱ４，Ｑ５のコレクタからバイアス回路のトランジスタＱ１０のエミッタに流れる電流が増加し、その結果、バイアス回路のトランジスタＱ１０のエミッタ電位が下がり、カラーユニカラー回路４２は色を絞る方向で動作し、図５の期間ｔ２に示すように色差振幅は減少する。
【００４１】
ＳＥＣＡＭ方式以外の映像信号が入力された場合には、ノイズ／カラー制御回路３３ａ内のトランジスタＭ１がオンし、ＲＦ信号の電界強度による色差振幅制御は行わない。
【００４２】
また、外部ビデオ信号が入力された場合には、ノイズ／カラー制御回路３３ａ内のトランジスタＭ２がオンし、この場合もＲＦ信号の電界強度による色差振幅制御は行わない。
【００４３】
このように、本実施形態では、すべてのカラー映像方式で共有されるＡＧＣ電圧発生回路１３の出力電圧を利用して、ＲＦ信号の電界強度を検出し、その検出結果に基づいてＳＥＣＡＭ方式の映像信号の色差信号の振幅調整を行うため、カラーノイズがなく、カラー映像方式を切り替えても違和感のない色再現が得られる。これにより、ＳＥＣＡＭ回路３内にノイズ検出器を設けなくて済み、回路規模を削減でき、集積化が容易になる。
【００４４】
上述した実施形態では、ＰＡＬ／ＮＴＳＣ／ＳＥＣＡＭの切替を行うことが可能な映像信号処理回路について説明したが、切替可能なカラー映像方式については上記の３種類に限定されない。
【００４５】
【発明の効果】
以上詳細に説明したように、本発明によれば、ＳＥＣＡＭ方式の映像信号を処理する場合に、複数のカラー映像方式で共用される電界強度検出部で検出されたＲＦ信号の電界強度に基づいて、ＳＥＣＡＭ方式用の色差信号の振幅調整用の調整信号を生成するため、カラーノイズがなく、カラー映像方式を切り替えても違和感のない色再現が得られるとともに、回路規模の削減も図れる。
【図面の簡単な説明】
【図１】本発明に係る映像信号処理回路の一実施形態の概略構成を示すブロック図。
【図２】図１のノイズ／カラー制御回路とカラー制御回路の詳細構成の一例を示す回路図。
【図３】ＲＦ信号の電界強度に対するＡＧＣ電圧変化を示す図。
【図４】ＲＦ信号の電界強度に対する色差振幅を示す図。
【図５】カラーレベルを１／３に設定した場合の制御電圧ＶＩＦＡＧＣ２に対する色差振幅の変化を示す波形図。
【図６】カラーレベルを１／２に設定した場合の制御電圧ＶＩＦＡＧＣ２に対する色差振幅の変化を示す波形図。
【図７】カラーレベルを最大に設定した場合の制御電圧ＶＩＦＡＧＣ２に対する色差振幅の変化を示す波形図。
【図８】ワンチップにまとめられる従来のマルチカラー映像方式用映像信号処理回路ＩＣのブロック図。
【図９】ＳＥＣＡＭ回路内に単体で電界の強弱検出を行うノイズ検出器とノイズ／カラー制御回路を設けた従来のマルチカラー映像方式用映像信号処理回路ＩＣのブロック図。
【符号の説明】
１　ＰＩＦ回路
２　ＰＡＬ／ＮＴＳＣ回路
３　ＳＥＣＡＭ回路
４　１Ｈ−ＤＬ回路
５　ＲＧＢ回路
１１　映像検波回路
１２　キャリア再生回路
１３　ＡＧＣ電圧発生回路
１４　ＡＧＣアンプ
２１　ＡＣＣクロマ回路
２２　ＶＣＸＯアンプ
２３　ＡＰＣ検波回路
２４　ＲＹ／ＢＹ回路
３１　ベル検波調整回路
３２　ＶＣＯ検波調整回路
３３　ノイズ／カラー制御回路
３４　Ｓキラー検波回路
３５　ＲＹ／ＢＹ−ＤｅＥｍｐ回路
３６　Ｐ／Ｎ／Ｓスイッチ
３７　ノイズ検出器
４１　ＥＸＴ／ＩＮスイッチ
４２　カラーユニカラー回路
４３　カラー制御回路
４４　Ｙ輝度制御回路
４５　Ｙ／ＲＧＢマトリックス回路
４６　ＥＸＴ／ＩＮスイッチ
４７　ＲＧＢアンプ／ＲＧＢカット回路
【図１】
2004040210.tif 000003
【図２】
2004040210.tif 000004
【図３】
2004040210.tif 000005
【図４】
2004040210.tif 000006
【図５】
2004040210.tif 000007
【図６】
2004040210.tif 000008
【図７】
2004040210.tif 000009
【図８】
2004040210.tif 000010
【図９】
2004040210.tif 000011